(57)【要約】【課題】電源プラグが何のためのものであるかを容易に識別でき、かつ安価に製作し得る電源プラグ注意ラベルを提供する。【解決手段】短冊状ラベル２１の一方の面あるいは両面をメッセージ記載部２２とすると共に、その先端に挟持部２３を形成する。メッセージ記載部２２には、例えば「プラグを抜かないで下さい。ＴＶが映らなくなります。」等の注意メッセージを記載する。挟持部２３は、メッセージ記載部２２に対して所定の角度例えば２０°〜３０°の角度を付けて形成する。挟持部２３には、所定幅の割溝２５を形成すると共に、この割溝２５部分に凹凸２６を形成する。挟持部２３は、電源プラグ１９の基部１９ａあるいは電源コード２０に挟み込むためのもので、割溝２５の幅を電源プラグ１９の基部１９ａあるいは電源コード２０の幅より若干狭く形成している。【選択図】      図１
2005031547.tif 000002
【特許請求の範囲】
【請求項１】
少なくとも一方の面に注意メッセージが記載される短冊状ラベルと、前記短冊状ラベルの先端に一体に形成される挟持部とを具備し、前記挟持部は、割溝を形成すると共に該割溝部分に凹凸を形成して電子機器の電源プラグ部分を挟持できるように構成したことを特徴とする電源プラグ注意ラベル。
【発明の詳細な説明】
【技術分野】
【０００１】
本発明は、例えばＣＡＴＶ増幅器等の電子機器の電源プラグに装着して使用する電源プラグ注意ラベルに関する。
【背景技術】
【０００２】
ケーブルによりＴＶ信号を伝送してシステムの加入者宅に分配するＣＡＴＶシステムでは、分配するＴＶ信号のレベルが低い場合、加入者宅にＣＡＴＶ増幅器を設置し、ＴＶ信号を増幅して加入者宅のテレビ受信機に供給している。
【０００３】
図２は、ＣＡＴＶ増幅器の一般的な設置例を示したものである。ヘッドエンド装置（図示せず）から伝送線路１１を介して送出されるＣＡＴＶ信号は、分配器１２により分配されてシステムの加入者宅１３に供給される。上記加入者宅１３に供給されるＣＡＴＶ信号のレベルが低い場合、加入者宅１３の例えば屋外にＣＡＴＶ増幅器１４を設置し、上記分配器１２を介して供給されるＣＡＴＶ信号を増幅した後、屋内に設けられている分配器１５、同軸ケーブル１６等を介してテレビ受信機１７に供給する。この場合、加入者宅１３内に上記ＣＡＴＶ増幅器１４の電源部１８を設置し、その電源プラグ１９を屋内に設けられているＡＣコンセントに装着する。
【０００４】
上記ＣＡＴＶ増幅器１４の電源部１８は、ＡＣコンセントが設けられているテレビ受信機１７の近くに設置される場合が多い。上記電源部１８は、例えば＋１５Ｖ程度の直流電源を信号経路である同軸ケーブル１６及び分配器１５を介してＣＡＴＶ増幅器１４に供給する。
【０００５】
上記のようにＣＡＴＶ増幅器１４を設け、ＣＡＴＶ信号を増幅してテレビ受信機１７に供給することにより、テレビ受信機１７は安定したＴＶ画像を表示することができる。
【特許文献１】特開２００２−２４４５６４号公報
【発明の開示】
【発明が解決しようとする課題】
【０００６】
上記ＣＡＴＶ増幅器１４の設置工事は、専業者によって行なわれるので、使用者はＡＣコンセントに装着されている電源プラグ１９が何のためのものか、分からない場合が多い。このため使用者が電源プラグ１９を誤ってＡＣコンセントから抜いてしまう場合がある。電源プラグ１９を抜くと当然ＣＡＴＶ増幅器１４に電源が供給されないため、テレビ受信機１７にＴＶ画像が映らなくなる。このため使用者は、テレビ受信機１７が故障したものと判断し、修理のために業者を呼ぶことになる。業者は故障の原因を確かめるために使用者宅（加入者宅１３）に出向く必要があるが、この程度のことでは費用請求をすることができず、実質費用が持ち出しとなるので、その対策に苦慮している。
【０００７】
本発明は上記の課題を解決するためになされたもので、電源プラグが何のためのものであるかを容易に識別でき、かつ安価に製作し得る電源プラグ注意ラベルを提供することを目的とする。
【課題を解決するための手段】
【０００８】
本発明に係る電源プラグ注意ラベルは、少なくとも一方の面に注意メッセージが記載される短冊状ラベルと、前記短冊状ラベルの先端に一体に形成される挟持部とを具備し、前記挟持部は、割溝を形成すると共に該割溝部分に凹凸を形成して電子機器の電源プラグ部分を挟持できるように構成したことを特徴とする。
【発明の効果】
【０００９】
本発明によれば、電源プラグ注意ラベルの挟持部を電子機器の電源プラグの部分に挟み込んでおくことにより、使用者等が誤って電源プラグをＡＣコンセントから抜かないように注意を喚起でき、電源プラグを誤って抜いたことに起因する事故を未然に防止することができる。また、電源プラグ注意ラベルは、厚手の紙あるいはプラスチック板等を使用してきわめて安価に製作することができる。
【発明を実施するための最良の形態】
【００１０】
以下、図面を参照して本発明の一実施形態を説明する。  
図１において、２１は例えば厚手の紙あるいはプラスチック板等を使用して形成した短冊状ラベルで、一方の面あるいは両面に注意メッセージを記載するメッセージ記載部２２が設けられる。上記メッセージ記載部２２には、例えば「プラグを抜かないで下さい。ＴＶが映らなくなります。」等の注意メッセージを印刷等により記載する。
【００１１】
また、上記短冊状ラベル２１の先端には、挟持部２３が一体に形成される。この挟持部２３は、メッセージ記載部２２に対して所定の角度例えば２０°〜３０°の角度を付けて形成される。上記挟持部２３には、例えば先端部中央からメッセージ記載部２２の方向に所定幅の割溝２５を形成すると共に、この割溝２５部分に凹凸２６を形成する。
【００１２】
上記挟持部２３は、電源プラグ１９の基部１９ａあるいは電源コード２０に挟み込むためのもので、割溝２５の幅を電源プラグ１９の基部１９ａあるいは電源コード２０の幅より若干狭く形成している。上記電源プラグ１９は、例えば図２に示したようにＣＡＴＶ増幅器１４の電源部１８に設けられているものである。
【００１３】
上記挟持部２３は、材質自体が備えている弾力性を利用して割溝２５の部分を電源プラグ１９の基部１９ａあるいは電源コード２０に装着する。
【００１４】
上記のように構成した電源プラグ注意ラベルは、図２に示したように加入者宅１３にＣＡＴＶ増幅器１４及び電源部１８を設置した際、電源プラグ１９の基部１９ａあるいは電源コード２０に挟持部２３を挟み込んでおく。すなわち、メッセージ記載部２２の先端部分を手で持ち、挟持部２３の割溝２５部分を電源プラグ１９の基部１９ａあるいは電源コード２０に押し込んで挟み込むようにする。なお、上記挟持部２３を電源コード２０に取り付ける際には、電源プラグ１９に近い位置で挟み込むようにする。
【００１５】
上記挟持部２３は、メッセージ記載部２２に対し、所定の角度で形成しているので、挟み込みの作業を容易に行なうことができる。また、挟持部２３は、割溝２５に形成されている凹凸２６部分の弾性力によって電源プラグ１９の基部１９ａあるいは電源コード２０に保持されるので、簡単に外れるようなことはない。
【００１６】
上記のように電源プラグ１９の部分に電源プラグ注意ラベルを挟み込んでおくことにより、使用者が誤って電源プラグ１９をＡＣコンセントから抜かないように注意を喚起することができる。使用者は、電源プラグ注意ラベルのメッセージ記載部２２に書かれている注意メッセージにより、電源プラグ１９に関する注意事項を認識することができる。
【００１７】
この結果、使用者等が誤ってＡＣコンセントから電源プラグ１９を抜いてしまうという事故を未然に防止でき、電源プラグ１９を抜いたことに起因する無駄な出向サービス費用を無くすことができる。
【００１８】
また、電源プラグ注意ラベルは、紙あるいはプラスチック板を短冊状に加工し、メッセージ記載部２２及び挟持部２３を形成するだけであるので、きわめて安価に製作することができる。
【００１９】
なお、上記実施形態では、ＣＡＴＶ増幅器１４の電源部１８に設けられている電源プラグ１９に対して電源プラグ注意ラベルを取り付ける場合について示したが、その他の電子機器の電源プラグに取付けても良い。また、注意メッセージは、その電源プラグがどの電子機器のものであるか等を示すものであっても良い。
【００２０】
また、上記実施形態では、メッセージ記載部２２に対して所定の角度で挟持部２３を形成した場合について示したが、メッセージ記載部２２に対して平行に挟持部２３を形成しても良い。
【００２１】
また、本発明は、上記実施形態そのままに限定されるものではなく、実施段階ではその要旨を逸脱しない範囲で構成要素を変形して具体化できるものである。
【図面の簡単な説明】
【００２２】
【図１】本発明の一実施形態に係る電源プラグ注意ラベルの構成例を示す図である。
【図２】本発明の対象とするＣＡＴＶシステムにおけるＣＡＴＶ増幅器の設置例を示す図である。
【符号の説明】
【００２３】
１１…伝送線路、１２…分配器、１３…加入者宅、１４…ＣＡＴＶ増幅器、１５…分配器、１６…同軸ケーブル、１７…テレビ受信機、１８…ＣＡＴＶ増幅器の電源部、１９…電源プラグ、１９ａ…電源プラグの基部、２０…電源コード、２１…短冊状ラベル、２２…メッセージ記載部、２３…挟持部、２５…割溝、２６…割溝部分に形成される凹凸。
【図１】
2005031547.tif 000003
【図２】
2005031547.tif 000004